(57)【特許請求の範囲】
【請求項１】
ネットワークを介して接続された複数の機器を含むネットワークシステムであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の内、最も遅くまで前記通常モードであった機器を、前記代表機器として選択する、ネットワークシステム。
【請求項２】
ネットワークを介して接続された複数の機器を含むネットワークシステムであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の間で、前記代表機器として選択される頻度が平均化されるように、前記代表機器を選択する、ネットワークシステム。
【請求項３】
ネットワークを介して接続された複数の機器を含むネットワークシステムであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の内、前記節電モードから前記通常モードへの前記動作モード切り替えが行われてから所定の動作の開始までに要する時間の最も長い機器を、前記代表機器として選択する、ネットワークシステム。
【請求項４】
ネットワークを介して接続された複数の機器を含むネットワークシステムであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の内、消耗品の残量が最も多い機器を、前記代表機器として選択する、ネットワークシステム。
【請求項５】
請求項１ないし請求項４のいずれかに記載のネットワークシステムであって、
前記機器の使用態様に関する所定の事項は、使用者と、使用場所と、使用時間と、使用者の属性と、の少なくとも一つである、ネットワークシステム。
【請求項６】
請求項１ないし請求項５のいずれかに記載のネットワークシステムであって、
前記グループ化処理部と前記制御部とは前記機器に含まれる、ネットワークシステム。
【請求項７】
ネットワークを介して接続された複数の機器を含むネットワークシステムの制御方法であって、
（ａ）前記複数の機器の内、機器の使用態様に関する所定の事項が共通する機器をグループ化する工程と、
（ｂ）グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる工程と、を備え、
グループ化された前記機器の内、最も遅くまで前記通常モードであった機器を、前記代表機器として選択する、方法。
【請求項８】
ネットワークを介して接続された複数の機器を含むネットワークシステムの制御方法であって、
（ａ）前記複数の機器の内、機器の使用態様に関する所定の事項が共通する機器をグループ化する工程と、
（ｂ）グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる工程と、を備え、
グループ化された前記機器の間で、前記代表機器として選択される頻度が平均化されるように、前記代表機器を選択する、方法。
【請求項９】
ネットワークを介して接続された複数の機器を含むネットワークシステムの制御方法であって、
（ａ）前記複数の機器の内、機器の使用態様に関する所定の事項が共通する機器をグループ化する工程と、
（ｂ）グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる工程と、を備え、
グループ化された前記機器の内、前記節電モードから前記通常モードへの前記動作モード切り替えが行われてから所定の動作の開始までに要する時間の最も長い機器を、前記代表機器として選択する、方法。
【請求項１０】
ネットワークを介して接続された複数の機器を含むネットワークシステムの制御方法であって、
（ａ）前記複数の機器の内、機器の使用態様に関する所定の事項が共通する機器をグループ化する工程と、
（ｂ）グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる工程と、を備え、
グループ化された前記機器の内、消耗品の残量が最も多い機器を、前記代表機器として選択する、方法。
【請求項１１】
ネットワークを介して接続された複数の機器を含むネットワークシステムを制御するコンピュータープログラムであって、
前記複数の機器の内、機器の使用態様に関する所定の事項が共通する機器をグループ化するグループ化処理機能と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御機能と、を、コンピューターに実現させ、
前記制御機能は、グループ化された前記機器の内、最も遅くまで前記通常モードであった機器を、前記代表機器として選択する、コンピュータープログラム。
【請求項１２】
ネットワークを介して接続された複数の機器を含むネットワークシステムを制御するコンピュータープログラムであって、
前記複数の機器の内、機器の使用態様に関する所定の事項が共通する機器をグループ化するグループ化処理機能と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御機能と、を、コンピューターに実現させ、
前記制御機能は、グループ化された前記機器の間で、前記代表機器として選択される頻度が平均化されるように、前記代表機器を選択する、コンピュータープログラム。
【請求項１３】
ネットワークを介して接続された複数の機器を含むネットワークシステムを制御するコンピュータープログラムであって、
前記複数の機器の内、機器の使用態様に関する所定の事項が共通する機器をグループ化するグループ化処理機能と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御機能と、を、コンピューターに実現させ、
前記制御部は、グループ化された前記機器の内、前記節電モードから前記通常モードへの前記動作モード切り替えが行われてから所定の動作の開始までに要する時間の最も長い機器を、前記代表機器として選択する、コンピュータープログラム。
【請求項１４】
ネットワークを介して接続された複数の機器を含むネットワークシステムを制御するコンピュータープログラムであって、
前記複数の機器の内、機器の使用態様に関する所定の事項が共通する機器をグループ化するグループ化処理機能と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御機能と、を、コンピューターに実現させ、
前記制御部は、グループ化された前記機器の内、消耗品の残量が最も多い機器を、前記代表機器として選択する、コンピュータープログラム。
【請求項１５】
ネットワークを介して接続された複数の機器を含むネットワークシステムを制御するサーバであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の内、最も遅くまで前記通常モードであった機器を、前記代表機器として選択する、サーバ。
【請求項１６】
ネットワークを介して接続された複数の機器を含むネットワークシステムを制御するサーバであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の間で、前記代表機器として選択される頻度が平均化されるように、前記代表機器を選択する、サーバ。
【請求項１７】
ネットワークを介して接続された複数の機器を含むネットワークシステムを制御するサーバであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の内、前記節電モードから前記通常モードへの前記動作モード切り替えが行われてから所定の動作の開始までに要する時間の最も長い機器を、前記代表機器として選択する、サーバ。
【請求項１８】
ネットワークを介して接続された複数の機器を含むネットワークシステムを制御するサーバであって、
前記複数の機器の内、機器の使用態様に関する所定の事項が共通する機器をグループ化するグループ化処理部と、
グループ化された前記機器に通常モードから前記通常モードより消費電力の小さい節電モードへの動作モード切り替えを共通のタイミングで行わせると共に、前記節電モードにあるグループ化された前記機器の中から選択された少なくとも１つの代表機器に、前記代表機器以外の機器を前記節電モードに維持したまま、前記通常モードへの移行を行わせる制御部と、を備え、
前記制御部は、グループ化された前記機器の内、消耗品の残量が最も多い機器を、前記代表機器として選択する、サーバ。
【発明の詳細な説明】
【技術分野】
【０００１】
本発明は、ネットワークを介して接続された複数の機器を含むネットワークシステムの
節電制御に関する。
【背景技術】
【０００２】
消費電力低減の観点から、機器が通常の動作状態（以下、「通常モード」と呼ぶ）にあ
るときに一定時間使用されないと、機器の動作状態を通常モードより消費電力の小さい状
態（以下、「節電モード」と呼ぶ）に移し、節電モードにおいて所定の操作や情報の入力
が行われると機器の動作状態を通常モードに戻すような機器の節電に関する制御が知られ
ている。本明細書では、機器の動作状態を通常モードと節電モードとの間で切り替えるこ
とを「動作モード切り替え」と呼び、機器の動作モード切り替えに関する制御を節電制御
と呼ぶものとする。なお、節電モードは、省エネルギーモードやスタンバイモードとも呼
ばれる。
【０００３】
他方、ネットワークを介して接続された複数の機器を含むネットワークシステムにおい
て、複数の機器を協調して制御する技術が知られている（例えば特許文献１参照）。
【先行技術文献】
【特許文献】
【０００４】
【特許文献１】特開平１０−４９２６７号公報
【特許文献２】国際公開第０１／７３５５８号パンフレット
【特許文献３】特開２０００−３３９１１６号公報
【発明の概要】
【発明が解決しようとする課題】
【０００５】
従来、ユーザーがネットワークを介して接続された複数の機器を使用する場合に、各機
器は個々に節電制御を実行するため、ユーザーが一定時間使用しなかった機器は、ユーザ
ーが希望しない場合にも単独で節電モードに移行してしまう場合があった。そのため、ネ
ットワークを介して接続された複数の機器を含むネットワークシステムにおける節電制御
に関し、ユーザー利便性に向上の余地があった。
【０００６】
本発明は、上記の課題を解決するためになされたものであり、ネットワークを介して接
続された複数の機器を含むネットワークシステムのユーザー利便性を向上させることを目
的とする。
【課題を解決するための手段】
【０００７】
上記課題の少なくとも一部を解決するために、本発明は、以下の形態または適用例とし
て実現することが可能である。
【０００８】
［適用例１］ネットワークを介して接続された複数の機器を含むネットワークシステムで
あって、
前記複数の機器の内、機器の使用態様に関する所定の事項が共通する機器をグループ化
するグループ化処理部と、
グループ化された前記機器に通常モードから前記通常モードより消費電力の小さい節電
モードへの動作モード切り替えを共通のタイミングで行わせると共に、前記節電モードに
あるグループ化された前記機器の中から選択された少なくとも１つの代表機器に、前記代
表機器以外の機器を前記節電モードに維持したまま、前記通常モードへの移行を行わせる
制御部と、を備える、ネットワークシステム。
【０００９】
このネットワークシステムでは、複数の機器の内、機器の使用態様に関する所定の事項
が共通する機器がグループ化され、グループ化された機器については通常モードから節電
モードへの動作モード切り替えが共通のタイミングで行われる。また、節電モードにある
グループ化された機器の中から選択された少なくとも１つの代表機器について、代表機器
以外の機器が節電モードに維持されたまま、通常モードへの移行が行われる。そのため、
このネットワークシステムでは、グループ化された機器が単独で節電モードに移行してし
まうことが抑制されると共に、グループ化された機器が節電モードに移行した後にユーザ
ーが機器の使用を希望する場合には、代表機器以外の機器は節電モードに維持されたまま
代表機器が通常モードに移行して使用可能となるため、ユーザー利便性を向上させること
ができる。
【００１０】
［適用例２］適用例１に記載のネットワークシステムであって、
前記制御部は、グループ化された前記機器の内、最も遅くまで前記通常モードであった
機器を、前記代表機器として選択する、ネットワークシステム。
【００１１】
このネットワークシステムでは、グループ化された機器が節電モードに移行した後にユ
ーザーが機器の使用を希望する場合において、代表機器による処理の円滑化・効率化を図
ることができる。
【００１２】
［適用例３］適用例１に記載のネットワークシステムであって、
前記制御部は、グループ化された前記機器の間で、前記代表機器として選択される頻度
が平均化されるように、前記代表機器を選択する、ネットワークシステム。
【００１３】
このネットワークシステムでは、グループを構成する各機器の消耗・摩耗等の均等化を
図ることができる。
【００１４】
［適用例４］適用例１に記載のネットワークシステムであって、
前記制御部は、グループ化された前記機器の内、前記節電モードから前記通常モードへ
の前記動作モード切り替えが行われてから所定の動作の開始までに要する時間の最も長い
機器を、前記代表機器として選択する、ネットワークシステム。
【００１５】
このネットワークシステムでは、節電モードから通常モードへの動作モード切り替えが
行われてから所定の動作の開始までに要する時間の最も長い機器を他の機器に先んじて通
常モードに移行することができるため、その後にグループ化された機器全体を通常モード
に移行して使用する場合に、処理の迅速化・効率化を図ることができる。
【００１６】
［適用例５］適用例１に記載のネットワークシステムであって、
前記制御部は、グループ化された前記機器の内、消耗品の残量が最も多い機器を、前記
代表機器として選択する、ネットワークシステム。
【００１７】
このネットワークシステムでは、グループを構成する各機器の消耗品（例えば用紙やイ
ンク）の消費の均等化を図ることができると共に、消耗品の補充を行うことなくユーザー
が所望の処理を完了させることができる可能性を高めることができる。
【００１８】
［適用例６］適用例１に記載のネットワークシステムであって、
前記制御部は、グループ化された前記機器の内、ユーザーにより指定された機器を、前
記代表機器として選択する、ネットワークシステム。
【００１９】
このネットワークシステムでは、グループ化された機器が節電モードに移行した後も、
ユーザーは所望する機器を使用することができる。
【００２０】
［適用例７］適用例１ないし適用例６のいずれかに記載のネットワークシステムであって
、
前記機器の使用態様に関する所定の事項は、使用者と、使用場所と、使用時間と、使用
者の属性と、の少なくとも一つである、ネットワークシステム。
【００２１】
このネットワークシステムでは、使用者と使用場所と使用時間と使用者の属性との少な
くとも一つが共通する機器をグループ化して制御する場合のユーザー利便性を向上させる
ことができる。
【００２２】
［適用例８］適用例１ないし適用例７のいずれかに記載のネットワークシステムであって
、
前記グループ化処理部と前記制御部とは前記機器に含まれる、ネットワークシステム。
【００２３】
このネットワークシステムでは、グループ化処理部と制御部が機器に含まれる場合にも
、ネットワークシステムのユーザー利便性を向上させることができる。
【００２４】
なお、本発明は、種々の態様で実現することが可能であり、例えば、ネットワークシス
テム、ネットワーク装置、ネットワーク機器、当該システム・装置・機器の制御方法、こ
れらのシステム・装置・機器または方法の機能を実現するためのコンピュータープログラ
ム、そのコンピュータープログラムを記録した記録媒体、そのコンピュータープログラム
を含み搬送波内に具現化されたデータ信号、等の形態で実現することができる。
【図面の簡単な説明】
【００２５】
【図１】本発明の第１実施例におけるネットワークシステム１０の構成を示す説明図である。
【図２】サーバー１００の概略構成を示す説明図である。
【図３】プリンター３００の概略構成を示す説明図である。
【図４】グループ化処理の流れを示すフローチャートである。
【図５】グループ化処理の流れを示すフローチャートである。
【図６】グループ化処理においてプリンター３００とサーバー１００との間で行われる情報のやりとりを示すチャート図である。
【図７】ログインユーザー情報の一例を示す説明図である。
【図８】ネットワークシステム１０における同期節電制御処理の流れを示すフローチャートである。
【図９】ネットワークシステム１０における同期節電制御処理の流れを示すフローチャートである。
【図１０】ネットワークシステム１０における節電解除処理の流れを示すフローチャートである。
【図１１】ネットワークシステム１０における節電解除処理の流れを示すフローチャートである。
【発明を実施するための形態】
【００２６】
次に、本発明の実施の形態を実施例に基づいて以下の順序で説明する。
Ａ．実施例：
Ａ−１．構成：
Ａ−２．グループ化処理：
Ａ−３．同期節電制御処理：
Ａ−４．節電解除処理：
Ｂ．変形例：
【００２７】
Ａ．実施例：
Ａ−１．構成：
図１は、本発明の第１実施例におけるネットワークシステム１０の構成を示す説明図で
ある。本実施例のネットワークシステム１０は、サーバー１００と、クライアントコンピ
ューター２００（以下、「クライアント２００」と呼ぶ）と、複数のプリンター３００と
、を有している。サーバー１００とクライアント２００と各プリンター３００とは、例え
ばＬＡＮといったネットワークＮＷを介して互いに接続されている。ネットワークシステ
ム１０において、ユーザーは、例えばクライアント２００を操作して、プリンター３００
を用いた印刷を行うことができる。ネットワークＮＷに、さらに、他のクライアントコン
ピューター、スキャナー、プロジェクター、ファクシミリといったネットワーク接続可能
な他の機器が接続されているとしてもよい。また、本実施例では、図示するように、ネッ
トワークＮＷとして有線のネットワークを使用するものとしたが、無線のネットワークを
使用するものとしてもよい。
【００２８】
ネットワークシステム１０はセキュリティーシステムを備えており、セキュリティー管
理はサーバー１００によって一括で行われている。具体的には、ユーザーがクライアント
２００およびプリンター３００を使用する際に、クライアント２００およびプリンター３
００に対してユーザーＩＤおよびパスワードを入力する処理（以下、「ログイン処理」と
呼ぶ）を行うと、ユーザーＩＤおよびパスワード（以下、「ログイン情報」と呼ぶ）がサ
ーバー１００に送信され、サーバー１００によるログイン情報を用いたセキュリティー管
理が実行される。
【００２９】
図２は、サーバー１００の概略構成を示す説明図である。サーバー１００は、ＣＰＵ１
１０と、ＲＯＭ１２０と、ハードディスクドライブ（以下、「ＨＤＤ」と呼ぶ）１３０と
、ＲＡＭ１４０と、ネットワークインターフェイス（以下、「ＮＴ−ＩＦ」と呼ぶ）１５
０と、を含み、各構成要素はバス１８０によって互いに接続されている。サーバー１００
は、ＮＴ−ＩＦ１５０を介してネットワークＮＷと接続され、ネットワークシステム１０
の他の機器との間で各種データや情報のやり取りを行う。
【００３０】
ＲＯＭ１２０は、サーバー１００の起動に必要なＢＩＯＳプログラムを記憶している。
ＣＰＵ１１０は、サーバー１００の起動時に、ＲＯＭ１２０にアクセスしてＢＩＯＳを実
行する。ＢＩＯＳの実行に伴い、ＨＤＤ１３０の所定のトラックに記憶されたオペレーテ
ィングシステム（以下、「サーバーＯＳ」と呼ぶ）がＲＡＭ１４０にロードされ、ＣＰＵ
１１０によりサーバーＯＳが実行される。サーバーＯＳとしては、Linux（登録商標）、S
olaris（登録商標）、NetWare（登録商標）、Windows NT/2000（登録商標）等のサーバー
ＯＳを用いることができる。また、ログイン認証専用のサーバーを別途用意してもよい。
【００３１】
ＣＰＵ１１０は、ログイン監視部１１１と、グループ化処理部１１２と、同期制御部１
１３と、を含んでいる。ＣＰＵ１１０は、ＨＤＤ１３０に記憶されたプログラム（不図示
）を読み出して実行することにより、これら各部の機能を実現する。これら各部の機能の
詳細については後述する。
【００３２】
ＨＤＤ１３０は、データや情報を記憶する記憶装置であり、前述のサーバーＯＳやプロ
グラムを記憶していると共に、ネットワークシステム１０を使用するユーザーのユーザー
ＩＤ、パスワード、所属等のユーザー情報が記録されたＩＤファイル１３１を記憶してい
る。
【００３３】
ＲＡＭ１４０は、ＣＰＵ１１０における主記憶を構成している。ＣＰＵ１１０は、必要
なプログラムをこの主記憶にロードして実行する。またＲＡＭ１４０は、ログイン状態記
憶部１４１を含んでいる。ログイン状態記憶部１４１は、ログイン監視部１１１がログイ
ンを許可した機器やユーザーのユーザーＩＤ、ＩＰアドレス、ログイン時間、ログイン場
所等のログインユーザー情報を記憶する。ログイン状態記憶部１４１は、また、グループ
化処理部１１２がグループ化を行った機器の情報（以下、「グループ化情報」と呼ぶ）も
記憶する。
【００３４】
図３は、プリンター３００の概略構成を示す説明図である。プリンター３００は、ＣＰ
Ｕ３１０と、ＲＯＭ３２０と、ＲＡＭ３４０と、ネットワークインターフェイス（ＮＴ−
ＩＦ）３５０と、外部入出力インターフェイス（以下、「Ｉ／Ｏ−ＩＦ」と呼ぶ）３７０
と、プリンターエンジン３９０と、を含んでおり、各構成要素はバス３８０によって互い
に接続されている。プリンター３００は、ＮＴ−ＩＦ３５０を介してネットワークＮＷに
接続されており、ネットワークシステム１０内の他の機器との間で各種データや情報のや
り取りを行う。
【００３５】
ＲＯＭ３２０は、プリンター３００の動作全般を制御するための制御プログラムを記憶
する。ＣＰＵ３１０は、ログイン制御部３１１と、同期制御部３１３と、印刷制御部３１
６と、を含んでいる。ＣＰＵ３１０は、ＲＯＭ３２０およびＲＡＭ３４０に記憶されたプ
ログラムを読み出して実行することにより、これら各部の機能を実現する。
【００３６】
印刷制御部３１６は、ネットワークＮＷを介してプリンター３００に接続された機器（
例えばクライアント２００）やプリンター３００に直結された機器から送信される印刷デ
ータを取得し、印刷データと操作パネル３７２を介して指定された印刷用紙サイズとに基
づいて、プリンターエンジン３９０を制御して印刷を実行させる。プリンターエンジン３
９０は、印刷制御部３１６による制御に従い印刷を実行する機構である。
【００３７】
Ｉ／Ｏ−ＩＦ３７０には、液晶ディスプレイ（ＬＣＤ）３７１と、操作パネル３７２と
、ＩＤカードリーダー３７４と、が接続されている。液晶ディスプレイ３７１は、メニュ
ー画面や画像等を表示する。操作パネル３７２は、ユーザーによる操作のための操作ボタ
ン（図示省略）を含んでいる。ユーザーは、ＩＤカードリーダー３７４にユーザーが所持
しているＩＤカードを挿入することによって、プリンター３００にユーザーＩＤを入力す
る。また、ユーザーは、操作パネル３７２を介してパスワードをプリンター３００に入力
する。
【００３８】
Ａ−２．グループ化処理：
図４および図５は、グループ化処理の流れを示すフローチャートである。グループ化処
理は、ネットワークシステム１０（図１）において、機器の使用態様に関する所定の事項
が共通する複数の機器を１つのグループにグループ化する処理である。ネットワークシス
テム１０においてグループ化された複数の機器は、後述する同期節電制御処理の対象とな
る。本実施例では、サーバー１００の制御の下、プリンター３００を対象としたグループ
化処理が実行される。図４には、グループ化処理におけるプリンター３００が実行する処
理を示しており、図５には、グループ化処理におけるサーバー１００が実行する処理を示
している。また、図６は、グループ化処理においてプリンター３００とサーバー１００と
の間で行われる情報のやりとりを示すチャート図である。
【００３９】
ユーザーは、プリンター３００の使用に際し、プリンター３００のＩＤカードリーダー
３７４にＩＤカードを挿入することによってユーザーＩＤを入力する。また、操作パネル
３７２を用いてパスワードを入力する。プリンター３００のログイン制御部３１１は、入
力されたユーザーのログイン情報（ユーザーＩＤおよびパスワード）とログイン要求とを
サーバー１００に送信する（図４のステップＳ１０２、図６のＲＱ１）。その後、ログイ
ン制御部３１１は、ログイン許可の受信を監視する（ステップＳ１０４）。
【００４０】
サーバー１００のログイン監視部１１１は、ログイン情報およびログイン要求の受信を
監視し（図５のステップＳ２０２）、プリンター３００から送信されたログイン情報およ
びログイン要求を受信すると（ステップＳ２０２：ＹＥＳ）、受信したログイン情報とＨ
ＤＤ１３０のＩＤファイル１３１に記録されているユーザー情報とを照合する（ステップ
Ｓ２０４）。ログイン監視部１１１は、照合の結果、ログイン情報が正しいと判断すると
、ログイン情報の送信元のプリンター３００に対してログイン許可ＡＣＫ１を送信する（
ステップＳ２０６、図６のＡＣＫ１）。照合の結果、受信したログイン情報が正しくない
と判断した場合には、ログイン監視部１１１は、プリンター３００に対して再度のユーザ
ー情報入力を要求する。
【００４１】
プリンター３００のログイン制御部３１１は、ログイン許可ＡＣＫ１を受信すると（図
４のステップＳ１０４：ＹＥＳ）、ネットワークシステム１０にログインして、印刷制御
部３１６やプリンターエンジン３９０を起動する（ステップＳ１０６）。なお、ネットワ
ークシステム１０にログインした機器をログイン機器と呼ぶ。その後、同期制御部１１３
は、動作モード同期コマンドの受信を監視する（ステップＳ１０８）。
【００４２】
サーバー１００のログイン監視部１１１は、ログイン許可ＡＣＫ１を送信した後、ＲＡ
Ｍ１４０内のログイン状態記憶部１４１（図２）に記録されたログインユーザー情報を更
新する（図５のステップＳ２０８）。図７は、ログインユーザー情報の一例を示す説明図
である。図７に示すように、ログインユーザー情報は、ネットワークシステム１０におけ
る各機器について、ユーザーを特定するユーザーＩＤや設置場所（使用場所）、ログイン
時間（使用時間）等を特定する情報を含んでいる。ログイン監視部１１１は、ログイン要
求のあった機器を機器ＩＤにより特定し、当該機器についてのログインユーザー情報の内
のユーザーＩＤやログイン時間等を更新する。
【００４３】
また、サーバー１００のグループ化処理部１１２は、全ログインユーザー情報を検索し
、ユーザーＩＤ、ログイン時間、設置場所等の事項に関して、互いに共通する事項を有す
るログイン機器を検索する（ステップＳ２１０）。例えば、ユーザーがログイン処理を行
ったプリンター３００のログインより前に他の機器がログインしておらず、互いに共通す
る事項を有する機器がなかった場合には（ステップＳ２１２：Ｎｏ）、サーバー１００に
おけるグループ化処理は終了する。
【００４４】
ログインユーザー情報の検索の結果、互いに共通する事項を有する機器があった場合に
は（ステップＳ２１２：ＹＥＳ）、サーバー１００のグループ化処理部１１２は、ログイ
ン状態記憶部１４１にアクセスし、ログインユーザー情報（図７）において互いに共通す
る事項を有する機器が一つのグループであることを示すグループ化情報を追加する（ステ
ップＳ２１４）。これにより、ログインユーザー情報において、どの機器がグループ化さ
れているかが特定される。例えば、図７の例では、同一ユーザーにより使用され設置場所
も同一である３つのプリンター３００（Ｐｒ１、Ｐｒ２、Ｐｒ３）が、１つのグループに
グループ化されている。
【００４５】
サーバー１００の同期制御部１１３は、グループ化された機器に対して、動作モード同
期コマンドＲＱ２を送信する（ステップＳ２１６、図６のＲＱ２）。
【００４６】
グループ化されたプリンター３００の同期制御部３１３は、サーバー１００から動作モ
ード同期コマンドＲＱ２を受信すると（図４のステップＳ１０８：ＹＥＳ）、プリンター
３００の動作モードの切り替えに関する制御（節電制御）をグループ内の他の機器と同期
させる動作モード同期設定を行い、動作モード同期設定の完了ＡＣＫ２をサーバー１００
に送信する（ステップＳ１１０、図６のＡＣＫ２）。サーバー１００のグループ化処理部
１１２は、プリンター３００から動作モード同期設定の完了ＡＣＫ２を受信する（図５の
ステップＳ２１８）。以上の処理により、グループ化処理が完了する。
【００４７】
本実施例では、複数のログイン機器をグループ化する際の判断において、ユーザー同一
、ログイン時間重複、設置場所（使用場所）同一の三つの条件を全て満たした機器を１つ
のグループにグループ化するものとしている。しかし、複数のログイン機器をグループ化
する際の判断を、ユーザー同一の条件のみを用いて行ったり、設置場所同一の条件のみを
用いて行ったりしてもよい。
【００４８】
Ａ−３．同期節電制御処理：
図８および図９は、ネットワークシステム１０における同期節電制御処理の流れを示す
フローチャートである。同期節電制御処理は、ネットワークシステム１０においてグルー
プ化された複数の機器のそれぞれについて、他の機器と同期をとりつつ動作モードの切り
替えに関する制御（節電制御）を行う処理である。以下では、ネットワークシステム１０
における複数のプリンター３００がグループ化処理によってグループ化され、各プリンタ
ー３００が通常モードで動作している状態における同期節電制御処理について説明する。
図８には、同期節電制御処理におけるプリンター３００が実行する処理を示しており、図
９には、同期節電制御処理におけるサーバー１００が実行する処理を示している。
【００４９】
プリンター３００の同期制御部３１３（図３）は、ユーザーがプリンター３００を最後
に使用した時点からの経過時間（以下、「不使用時間」と呼ぶ）を計測し、不使用時間が
所定の時間（閾値）を超えたか否かを監視する（図８のステップＳ３０２）。ここで、機
器の使用とは、機器に対して何らかの処理を行わせることを言い、具体的には、プリンタ
ー３００においてはクライアント２００からの印刷処理命令の受信や印刷処理等が該当し
、クライアント２００においてはキーボード２７２による入力やマウス２７３の操作、光
学ディスクドライブ２６０によるディスクの読み込み等が該当する。不使用時間の閾値は
、各機器に予め設定されている。
【００５０】
不使用時間が所定の時間を超えると（ステップＳ３０２：ＹＥＳ）、プリンター３００
の同期制御部３１３は、節電条件が成立したと判断し（ステップＳ３０４）、サーバー１
００に対して節電要求を送信する（ステップＳ３０６）。節電要求の送信後、同期制御部
３１３は、ユーザーによる使用があるかを監視し（ステップＳ３０８）、ユーザーによる
使用があった場合には節電条件の成立を解消し、不使用時間に関する判定（ステップＳ３
０２）に戻る。なお、このとき同期制御部３１３は、サーバー１００に対して節電要求解
除のコマンドを送信する。
【００５１】
また、プリンター３００の同期制御部３１３は、まだ節電モードへの動作モード切り替
えを行わず、後述するサーバー１００からの節電許可の受信を監視する（ステップＳ３１
０）。同期制御部３１３は、サーバー１００への節電要求の送信（ステップＳ３０６）の
後に、ユーザーよるプリンター３００の使用がないままサーバー１００から節電許可を受
信すると（ステップＳ３１０：ＹＥＳ）、プリンター３００の動作モードを、通常モード
よりも消費電力の小さい節電モードに切り換える（ステップＳ３１２）。
【００５２】
サーバー１００の同期制御部１１３は、プリンター３００からの節電要求の受信を監視
する（図９のステップＳ４０２）。同期制御部１１３は、いずれかのプリンター３００か
ら節電要求を受信すると、ログイン状態記憶部１４１を参照してグループを構成する機器
を特定し、節電要求の送信元であるプリンター３００と同一グループを構成する他のすべ
てのプリンター３００から節電要求を既に受信したか否かを判定する（ステップＳ４０４
）。未だすべてのプリンター３００からは節電要求を受信していない場合には（ステップ
Ｓ４０４：ＮＯ）、節電要求の受信の監視（ステップＳ４０２）に戻る。なお、既に節電
要求を受信しているプリンター３００から節電要求解除のコマンドが送信されてくると、
当該プリンター３００からの節電要求は取り消される。
【００５３】
グループを構成するすべてのプリンター３００からの節電要求が揃うと（ステップＳ４
０４：ＹＥＳ）、サーバー１００の同期制御部１１３は、対象となっているグループを構
成するすべてのプリンター３００に対して節電許可を送信する（ステップＳ４０６）。送
信された節電許可はプリンター３００に受信され（図８のステップＳ３１０）、節電許可
を受信したプリンター３００は共通のタイミングで節電モードに移行する（ステップＳ３
１２）。
【００５４】
Ａ−４．節電解除処理：
図１０および図１１は、ネットワークシステム１０における節電解除処理の流れを示す
フローチャートである。節電解除処理は、節電モードにあるプリンター３００を通常モー
ドに移行する処理である。節電解除処理は、ユーザーによる節電解除（節電モードから通
常モードへの動作モード切り替え）を要求する所定の操作があった場合、あるいはグルー
プ内のプリンター３００に対してグループ外からの印刷要求があった場合に開始される。
【００５５】
サーバー１００の同期制御部１１３は、１台のプリンター３００のみを対象に節電解除
を行うか、グループ内のすべてのプリンター３００を対象に節電解除を行うかを判定する
（図１０のステップＳ５０２）。具体的には、同期制御部１１３は、ユーザーによる所定
の操作が１台のプリンター３００のみを対象とした節電解除に対応するものであるか、す
べてのプリンター３００を対象とした節電解除に対応するものであるかに基づいて、節電
解除の対象を判定する。また、グループ内のプリンター３００に対してグループ外からの
印刷要求があったことを受けて節電解除処理が開始された場合には、同期制御部１１３は
、節電解除の対象は１台のプリンター３００のみであると判定する。
【００５６】
節電解除の対象はグループ内のすべてのプリンター３００であると判定された場合には
（ステップＳ５０２：ＮＯ）、サーバー１００の同期制御部１１３は、グループ内の各プ
リンター３００に対して節電解除要求を送信する（ステップＳ５１４）。節電モードにあ
るプリンター３００の同期制御部３１３は、サーバー１００からの節電解除要求の受信を
監視している（図１１のステップＳ６０２）。プリンター３００の同期制御部３１３は、
節電解除要求を受信すると、節電モードを解除し、通常モードに移行する（ステップＳ６
０４）。
【００５７】
節電解除の対象は１台のプリンター３００のみであると判定された場合には（図１０の
ステップＳ５０２：ＹＥＳ）、サーバー１００の同期制御部１１３は、グループ内のプリ
ンター３００から節電解除対象のプリンター３００（以下、「代表プリンター３００Ｒ」
と呼ぶ）を決定する（ステップＳ５０４）。本実施例では、同期制御部１１３は、グルー
プ化されたプリンター３００の内、最も遅くまで通常モードであったプリンター３００を
代表プリンター３００Ｒとして選択する。なお、グループ化された複数のプリンター３０
０において、節電許可を受けてから節電モードへの移行までに要する時間が互いに異なっ
たり、節電許可を受けたときに印刷処理中であって節電モードへの移行が遅くなったりす
る場合があるため、各プリンター３００における通常モードから節電モードへの切り換え
時点は差異が出る場合がある。
【００５８】
サーバー１００の同期制御部１１３は、決定された代表プリンター３００Ｒに対して節
電解除要求を送信する（ステップＳ５０６）。代表プリンター３００Ｒの同期制御部３１
３は、節電解除要求を受信すると、節電モードを解除し、通常モードに移行する（図１１
のステップＳ６０４）。
【００５９】
以上説明したように、本実施例のネットワークシステム１０では、ネットワークシステ
ム１０内の複数のプリンター３００の内、機器の使用態様に関する所定の事項（ユーザー
ＩＤ、ログイン時間、設置場所等）が共通するプリンター３００がグループ化され、グル
ープ化されたすべてのプリンター３００は、通常モードでの動作時に共通タイミングで発
行されるサーバー１００からの節電許可を受信して節電モードに移行する。すなわち、プ
リンター３００は、通常モードから節電モードへの動作モード切り替えが共通のタイミン
グで行われる。また、節電モードにあるグループ化されたプリンター３００の中から選択
された代表プリンター３００Ｒについて、代表プリンター３００Ｒ以外のプリンター３０
０が節電モードに維持されたまま、通常モードへの移行が行われる。そのため、本実施例
のネットワークシステム１０では、グループ化されたプリンター３００が単独で節電モー
ドに移行してしまうことが抑制されると共に、グループ化されたプリンター３００が節電
モードに移行した後にユーザーがプリンター３００の使用を希望する場合には、代表プリ
ンター３００Ｒ以外のプリンター３００は節電モードに維持されたまま代表プリンター３
００Ｒが通常モードに移行して使用可能となるため、ユーザー利便性を向上させることが
できる。
【００６０】
また、本実施例のネットワークシステム１０では、グループ化されたプリンター３００
の内、最も遅くまで通常モードであったプリンター３００が代表プリンター３００Ｒとし
て選択されるため、グループ化されたプリンター３００が節電モードに移行した後にユー
ザーがプリンター３００の使用を希望する場合において、最も遅くまで通常モードであっ
たためウォームアップ時間が比較的短いと考えられるプリンター３００を代表プリンター
３００Ｒとすることができ、代表プリンター３００Ｒによる印刷処理の円滑化・効率化を
図ることができる。例えば、プリンター３００がレーザープリンターである場合には、グ
ループ化されたプリンターの内、最も遅くまで通常モードであったプリンターは、定着器
の再加熱に必要な時間が短くできるためにウォームアップ時間が最も短い。従って、最も
遅くまで通常モードであったプリンター３００を代表プリンター３００Ｒとして選択すれ
ば、代表プリンター３００Ｒによる印刷処理の円滑化・効率化を図ることができる。
【００６１】
Ｂ．変形例：
なお、この発明は上記の実施例や実施形態に限られるものではなく、その要旨を逸脱し
ない範囲において種々の態様において実施することが可能であり、例えば次のような変形
も可能である。
【００６２】
Ｂ１．変形例１：
上記実施例では、グループ化されたプリンター３００のうち、最も遅くまで通常モード
であったプリンター３００を代表プリンター３００Ｒとして選択するものとしているが、
代表プリンター３００Ｒの選択方法として他の方法を採用することも可能である。例えば
、グループ化されたプリンター３００の間で、代表プリンター３００Ｒとして選択される
頻度が平均化されるように代表プリンター３００Ｒを選択するものとしてもよい。このよ
うにすれば、グループを構成する各プリンター３００の消耗・摩耗等の均等化を図ること
ができる。
【００６３】
あるいは、グループ化されたプリンター３００の内、節電モードから通常モードへの動
作モード切り替えが行われてから所定の動作（例えば印刷動作）の開始までに要する時間
の最も長いプリンター３００を代表プリンター３００Ｒとして選択するものとしてもよい
。このようにすれば、節電モードから通常モードへの動作モード切り替えが行われてから
所定の動作の開始までに要する時間の最も長いプリンター３００を他のプリンター３００
に先んじて通常モードに移行することができるため、その後にグループ化されたプリンタ
ー３００のすべてを通常モードに移行して使用する場合に、処理の迅速化・効率化を図る
ことができる。
【００６４】
あるいは、グループ化されたプリンター３００の内、消耗品の残量が最も多いプリンタ
ー３００を代表プリンター３００Ｒとして選択するものとしてもよい。このようにすれば
、グループを構成する各プリンター３００機器の消耗品（例えば用紙やインク）の消費の
均等化を図ることができると共に、消耗品の補充を行うことなくユーザーが所望の処理（
例えば印刷処理）を完了させることができる可能性を高めることができる。
【００６５】
あるいは、グループ化されたプリンター３００の内、ユーザーにより指定されたプリン
ター３００を代表プリンター３００Ｒとして選択するものとしてもよい。このようにすれ
ば、グループ化されたプリンター３００が節電モードに移行した後も、ユーザーは所望す
るプリンター３００を使用することができる。
【００６６】
Ｂ２．変形例２：
上記実施例では、グループを構成するプリンター３００の内の１つが代表プリンター３
００Ｒとして選択されるとしているが、複数のプリンター３００が代表プリンター３００
Ｒとして選択されるものとしてもよい。
【００６７】
Ｂ３．変形例３：
上記実施例では、複数のプリンター３００のグループ化について説明したが、本発明は
他の種類の機器のグループ化一般に適用可能である。すなわち、ネットワークシステム１
０において、複数のクライアント２００がグループ化されるとしてもよい。また、本発明
は互いに異なる種類の機器を含む複数の機器のグループ化一般に適用可能である。すなわ
ち、ネットワークシステム１０において、１つまたは複数のクライアント２００と１つま
たは複数のプリンター３００とが１つのグループとしてグループ化されるとしてもよい。
【００６８】
また、上記実施例では、ネットワークシステム１０に含まれる機器はクライアント２０
０やプリンター３００であるとしているが、ネットワークシステム１０に含まれる機器が
他の種類の機器であるとしてもよい。すなわち、本発明は、クライアント２００やプリン
ター３００以外のネットワーク接続可能な機器（例えば、スキャナーやプロジェクター、
ファクシミリ）を含むネットワークシステムにも適用可能である。
【００６９】
Ｂ４．変形例４：
上記実施例では、プリンター３００のグループ化処理や同期節電制御処理、節電解除処
理にサーバー１００が用いられるとしているが、必ずしもサーバー１００が用いられる必
要はなく、ネットワークシステム１０内の複数のプリンター３００のいずれかが、サーバ
ー１００におけるログイン監視部１１１（図２）やグループ化処理部１１２、同期制御部
１１３の機能を実行するとしてもよい。すなわち、プリンター３００のいずれかが、機器
の使用態様に関する所定の事項が共通する複数のプリンター３００をグループ化し、グル
ープ化されたプリンター３００に通常モードから節電モードへの動作モード切り替えを共
通のタイミングで行わせたり、節電モードにあるグループ化されたプリンター３００の中
から選択された代表プリンター３００Ｒに通常モードへの移行を行わせたりしてもよい。
【００７０】
また、本発明は、機器の動作モード切り替えに限らず、グループ化された複数の機器が
共通の対応をとるような制御一般に適用可能である。共通の対応としては、例えば、ディ
スプレイ表示の同期制御や、機器の電源オフ制御、プログラム更新制御、アプリケーショ
ン制御等が挙げられる。機器の電源オフの同期制御は、動作モードの制御と同様に、グル
ープ内の全ての機器が使用されていないと判断した場合に、グループ内の全機器の電源を
オフにする制御である。
【００７１】
プログラム更新同期制御は、例えばＯＳのプログラム更新処理等は、一般に、そのＯＳ
を備える機器であれば、同時期に更新処理を行う。よって、グループ内の一つの機器でプ
ログラム更新処理を行った場合に、グループ内の他の機器も同期して、自動でプログラム
更新処理を行うように制御すれば、ユーザーはグループ内の複数の機器に対して、1度で
プログラム更新処理を行うことができる。
【００７２】
アプリケーションの同期制御は、例えば図面作成用アプリケーションプログラム上で、
図面を作成する場合を想定する。図面作成用アプリケーションプログラムをグループ内の
機器で同期制御することで、グループ内の複数のユーザーが、同時に一つの図面の作成を
、各ログイン機器から行うことができる。よって、一つの図面作成を、複数のユーザーが
同時に、各ログイン機器を使用して、分担して行うことができる。
【００７３】
これらの共通の対応に関しても、サーバー１００が関与する必要はなく、機器自身によ
ってグループ化された複数の機器が共通の対応をとるように制御を行うものとしてもよい
。
【００７４】
Ｂ５．変形例５：
上記実施例では、機器のグループ化に用いられる機器の使用態様に関する所定の事項は
、ユーザー（使用者）やログイン時間（使用時間）、ログイン場所（使用場所）であると
しているが、機器の使用態様に関する他の事項が機器のグループ化に用いられるとしても
よい。
【００７５】
また、「ログイン場所同一」の判断方法については、ユーザーがＧＰＳ端末を所持し、
若しくは使用機器にＧＰＳ機能を備えさせ、当該ＧＰＳの機能により検出した場所の情報
に基づいて、ログイン場所が同一とみなしうるか否かの判断をしてもよい。この他、同一
ログイン場所の判断方法として、オフィスや会議室等に無線ＬＡＮのアクセスポイントを
設置し、どのアクセスポイントを介してユーザーがログインを行ったかを特定することに
より、ログイン場所が同一とみなしうるか否かを判断してもよい。
【００７６】
Ｂ６．変形例６：
上記実施例におけるネットワークシステム１０やサーバー１００、クライアント２００
、プリンター３００の構成は、あくまで一例であり、種々変形可能である。また、上記実
施例において、ハードウェアによって実現されていた構成の一部をソフトウェアに置き換
えるようにしてもよく、逆に、ソフトウェアによって実現されていた構成の一部をハード
ウェアに置き換えるようにしてもよい。
【００７７】
また、本発明の機能の一部または全部がソフトウェアで実現される場合には、そのソフ
トウェア（コンピュータープログラム）は、コンピューター読み取り可能な記録媒体に格
納された形で提供することができる。この発明において、「コンピューター読み取り可能
な記録媒体」とは、フレキシブルディスクやＣＤ−ＲＯＭのような携帯型の記録媒体に限
らず、各種のＲＡＭやＲＯＭ等のコンピューター内の内部記憶装置や、ハードディスク等
のコンピューターに固定されている外部記憶装置も含んでいる。
【符号の説明】
【００７８】
１０…ネットワークシステム
１００…サーバー
１１０…ＣＰＵ
１１１…ログイン監視部
１１２…グループ化処理部
１１３…同期制御部
１２０…ＲＯＭ
１２４…制御プログラム
１４０…ＲＡＭ
１４１…ログイン状態記憶部
１６０…スキャナーエンジン
１７０…ファックスエンジン
１８０…バス
２００…クライアントコンピューター
３００…プリンター
３１０…ＣＰＵ
３１１…ログイン制御部
３１３…同期制御部
３１６…印刷制御部
３２０…ＲＯＭ
３４０…ＲＡＭ
３７１…液晶ディスプレイ
３７２…操作パネル
３７４…ＩＤカードリーダー
３８０…バス
３９０…プリンターエンジン
【図１】
0005446928.tif 000002
【図２】
0005446928.tif 000003
【図３】
0005446928.tif 000004
【図４】
0005446928.tif 000005
【図５】
0005446928.tif 000006
【図６】
0005446928.tif 000007
【図７】
0005446928.tif 000008
【図８】
0005446928.tif 000009
【図９】
0005446928.tif 000010
【図１０】
0005446928.tif 000011
【図１１】
0005446928.tif 000012